(57)【要約】【課題】構成の簡素な免震構造を安価に得ることのできる木造住宅用架台を提供する。【解決手段】基礎１上に架台１０を複数の免震装置２０を介して支持させ、基礎１と架台１０との間に通気口４を形成し、架台１０を複数の木材１１により組み立ててその少なくとも周縁部を複数の針葉樹の積層により構成する。また、各免震装置２０を、基礎１と架台１０の対向面とに配設されて相対向する一対の受皿２１と、一対の受皿２１の間に移動可能に介在する球体２２と、一対の受皿２１を接続して球体２２を包囲する弾性の接続体２３とから構成する。基礎１の上面に木製の架台１０を設置するので、基礎１上に架台１０と土台を共に設置する必要がなく、住宅構造の簡素化や製造コストの削減を図ることができる。【選択図】  図２
2008266958.tif 000002
【特許請求の範囲】
【請求項１】
基礎に架台を複数の免震装置を介して支持させ、基礎と架台との間に隙間を形成した木造住宅用架台であって、
架台を複数の木材により組み立ててその少なくとも周縁部を複数の針葉樹の積層により構成し、免震装置を、基礎と架台とにそれぞれ設けられて対向する複数の受皿と、この複数の受皿の間に移動可能に介在する球体と、複数の受皿を接続して球体を包囲する弾性の接続体とから構成したことを特徴とする木造住宅用架台。
【請求項２】
地盤に基礎をコンクリートにより打設し、これら地盤と基礎のうち少なくとも地盤に防湿材を設けた請求項１記載の木造住宅用架台。
【請求項３】
架台の表面に構造用合板を設けて剛性を付与した請求項１又は２記載の木造住宅用架台。
【請求項４】
架台の周縁部外面に水切りを設けた請求項１、２、又は３記載の木造住宅用架台。
【請求項５】
基礎と架台のうち少なくともいずれか一方の対向面に免震装置の受皿を取付板を介して取り付けた請求項１ないし４いずれかに記載の木造住宅用架台。
【発明の詳細な説明】
【技術分野】
【０００１】
本発明は、免震構造を安価に得ることのできる木造住宅用架台に関するものである。
【背景技術】
【０００２】
近年、木造住宅に安全対策の観点から免震装置を設置する例が散見されるが、木造住宅に免震装置を設置する場合には、図示しない地盤に基礎をコンクリートにより打設してその上面には重く厚い架台と土台とを複数の免震装置を介して積層配置し、架台上に搭載された土台に柱や梁等の木材を複数固定して木造住宅を構築するようにしている（特許文献１、２参照）。
【０００３】
架台は、例えば十分な剛性を確保するため、コンクリートや鉄骨等を使用して強固に組み立てられている。また、各免震装置は、様々なタイプがあるが、例えば基礎上に複数設置されるゴム製の復元装置と、架台に複数設置される滑り板とを備えて構成されている。
【特許文献１】特開２００６‐１６９７７３号公報
【特許文献２】特開２００５‐６１６０７号公報
【発明の開示】
【発明が解決しようとする課題】
【０００４】
従来における木造住宅の免震構造は、以上のように構成され、基礎の上面にコンクリートや鉄骨等からなる架台が土台と共に設置され、しかも、各免震装置が大型の複数の復元装置と滑り板とから構成されるので、構造が非常に複雑化し、製造コストの削減を到底図ることができないという問題がある。
【０００５】
本発明は上記に鑑みなされたもので、構成の簡素な免震構造を安価に得ることのできる木造住宅用架台を提供することを目的としている。
【課題を解決するための手段】
【０００６】
本発明においては上記課題を解決するため、基礎に架台を複数の免震装置を介して支持させ、基礎と架台との間に隙間を形成したものであって、
架台を複数の木材により組み立ててその少なくとも周縁部を複数の針葉樹の積層により構成し、免震装置を、基礎と架台とにそれぞれ設けられて対向する複数の受皿と、この複数の受皿の間に移動可能に介在する球体と、複数の受皿を接続して球体を包囲する弾性の接続体とから構成したことを特徴としている。
【０００７】
なお、地盤に基礎をコンクリートにより打設し、これら地盤と基礎のうち少なくとも地盤に防湿材を設けることができる。
また、架台の表面に構造用合板を設けて剛性を付与することができる。
また、架台の周縁部外面に水切りを設けることができる。
【０００８】
また、基礎と架台のうち少なくともいずれか一方の対向面に免震装置の受皿を取付板を介して取り付けることが可能である。
さらに、架台の角部と隅部のうち少なくとも隅部の下面に、免震装置用の取付板を取り付けても良い。
【０００９】
ここで、特許請求の範囲における架台は、その全てが同一の木材により組み立てられても良いし、周縁部や主要部のみが複数の針葉樹の積層により構成されても良い。また、工場で組み立てられても良いし、現場で組み立てられても良い。防湿材は、単数複数を特に問うものではなく、地盤のみに設けることもできるし、地盤と基礎とにそれぞれ設けることもできる。さらに、免震装置用の取付板は、基礎と架台の対向面にそれぞれ取り付けることができる。
【発明の効果】
【００１０】
本発明によれば、比較的構成の簡易な免震構造を安価に得ることができるという効果がある。また、架台の少なくとも周縁部を複数の針葉樹の積層により構成するので、架台の加工の容易化や軽量化を図ることができる。
また、地盤と基礎のうち少なくとも地盤に防湿材を設ければ、基礎の含水率を低下させて基礎中の鉄筋を保護し、しかも、住宅に湿気を寄せ付けず、白アリ等の被害を抑えることができる。また、基礎の損傷に伴う免震装置の傾斜等を防ぐことができる。
【００１１】
また、架台の表面に構造用合板を設けて剛性を付与すれば、地震時等における架台の変形防止が期待できる。
また、架台の周縁部外面に水切りを設ければ、架台や免震装置の中に水が浸入し、架台等が腐食してしまうおそれを抑制することが可能になる。
さらに、基礎と架台のうち少なくともいずれか一方の対向面に免震装置の受皿を取付板を介して取り付ければ、免震装置の姿勢の適正化が可能になる。
【発明を実施するための最良の形態】
【００１２】
以下、図面を参照して本発明の好ましい実施の形態を説明すると、本実施形態における木造住宅用架台は、図１ないし図４に示すように、基礎１に架台１０を複数の小型の免震装置２０を介して支持させ、架台１０を木材１１により組み立ててその少なくとも周縁部を複数の針葉樹の積層により構成し、各免震装置２０を、基礎１と架台１０とに配設される一対の受皿２１と、この一対の受皿２１の間に介在する球体２２と、一対の受皿２１を接続して球体２２を包囲する接続体２３とから構成するようにしている。
【００１３】
基礎１は、図２や図３に示すように、例えば地盤を整地して栗石工事を施し、係る地盤に湿気防止用の防湿シート２を隙間なく敷設し、鉄筋３や補強鉄筋を入れる鉄筋工事や型枠工事を施した後、型枠にコンクリートが打設されることにより構成される。この基礎１は、防湿・防蟻シートが選択的に覆着され、上方の架台１０との間に空気流通用の隙間である通気口４を形成しており、この通気口４が免震装置２０用のメンテナンス口としても機能する。
【００１４】
架台１０は、図２ないし図４に示すように、基礎１の形状に対応するよう、複数の木材（例えば、大引や根太等）１１と締結具により中空の多角形や枠形等に組み立てられ、これらに防腐・防蟻処理が施されており、各木材１１が複数の針葉樹の積層した積層材により構成される。この架台１０は、開口した表面に断熱材として機能するポリスチレンフォーム、剛性付与用の構造用合板１２、フローリング１３等が複数配設され、下面の複数の角部や隅部等には、免震装置２０用の取付板１４が装着される。
【００１５】
構造用合板１２としては、例えばカツラ、ベニヤ、カラマツ等を使用した所定の厚さと強度の合板等があげられる。また、各取付板１４は、例えば平面矩形や三角形等の略平坦な鉄板等が使用され、複数の締結具や金具により交換可能に螺着されており、架台１０を補強する機能をも発揮する。
【００１６】
架台１０の周縁部の外面下部には図２に示すように、アルミや樹脂等からなる耐候性の水切り１５が基礎１よりも外方向に突出して装着され、この水切り１５が断面略Ｌ字形、略Ｕ字形、略Ｖ字形、略Ｚ字形等に屈曲形成されて雨水の浸透や白アリによる被害を防止するよう機能する。
【００１７】
複数の針葉樹は、例えば狂いが少なく、加工が容易で軽量のスギ、アカマツ、ベイスギ、ベイマツ、カラマツ等があげられ、接着剤を介して積層プレスされることにより架台１０用の木材１１を構成する。このような架台１０は、図１に示すように、複数の柱１６等が立設され、この複数の柱１６等から伝わる荷重を最下部の構造材として支持するよう機能する。
【００１８】
なお、架台１０を構成する複数の木材１１が組み合わされる複数の主要部１７の交差部には図３や図４に示すように、架台１０の変形防止の観点からボルトを含む補強金具がそれぞれ装着され、架台１０の四隅部内にも同図に示すように、架台１０の変形防止の観点から平面略三角形で木製の補強材１８がボルトを含む締結具を介し嵌合して組み合わされる。
【００１９】
各免震装置２０は、図２や図３に示すように、基礎１と架台１０の取付板１４とに締結具を介し交換可能に配設されて相対向する一対の受皿２１と、この一対の受皿２１の間に移動可能に介在する球体２２と、一対の受皿２１を接続して球体２２を外側から包囲する可撓性の接続体２３とを備えて従来の免震装置よりも小型に構成される。各受皿２１は、例えばスチール等を使用して平面円形に形成され、対向面に球体２２用の凹み穴が平面円形に凹み形成される。
【００２０】
球体２２は、例えば単数複数の鉄球や鋼球等からなり、一対の受皿２１の凹み穴にころがり接触可能に摺接しており、地震の発生時に地震エネルギを吸収して一対の受皿２１を移動変位させる。また、接続体２３は、例えば防振用の天然ゴム、クロロプレンゴム、ポリウレタンゴム、シリコーンゴム等を使用して弾性の円筒形に形成され、開口した端部が各受皿２１の周縁部に嵌着される。
【００２１】
上記において、地震が発生して木造住宅の基礎１が振動すると、免震装置２０の球体２２が接続体２３の内部を転がってベアリング機能を発揮し、一対の受皿２１が相反する方向にスライドして地震の揺れを受け流し、この受け流し効果により木造住宅が免震されることとなる。このような免震作用により、木造住宅内の家具等は転倒せず、居住者が恐怖を感じることも少ない。
【００２２】
上記構成によれば、基礎１の上面に土台として機能する木製の架台１０を設置するので、基礎１上に別体の架台１０と土台とを重ねて設置する必要が全くなく、住宅構造の簡素化や製造コストの大幅な削減を図ることができる。また、各免震装置２０が小型に構成されるので、構成の簡素化や製造コストの削減に大いに資することができ、個人の住宅購入に貢献することができる。
【００２３】
また、地盤に湿気防止用の防湿シート２を敷設するので、土中の湿気を完全に遮断することができる。これにより鉄筋コンクリートの含水率を低下させて鉄筋３をきわめて有効に保護し、しかも、木造住宅に湿気を寄せ付けず、白アリの被害を抑えることが可能になる。また、架台１０を重く厚いコンクリートや錆び易い鉄骨により形成するのではなく、架台１０を木製としてその各木材１１を複数の針葉樹の積層材により構成するので、加工の容易化や架台１０の軽量化を図ることができる他、剛性や断熱性を向上させたり、調湿効果を得ることが可能になる。
【００２４】
また、複数の免震装置２０により基礎１と架台１０との間に通気口４が形成されるので、空気が流通しないことにより、架台１０を形成する複数の木材１１が腐食することがなく、結果として架台１０や木造住宅の長寿命化を図ることができる。また、通気口４がメンテナンス口としても機能するので、免震装置２０の保守点検がきわめて容易となる。また、架台１０の開口した表面に複数の構造用合板１２を貼着して歪み等を抑制防止するので、鉄骨製の架台同様、十分な剛性を確保して地震時における架台１０の変形防止が期待できる。
【００２５】
さらに、架台１０の下面に専用の取付板１４を装着するので、免震装置２０の受皿２１が傾くことが少なく、免震装置２０の姿勢の適正化を図ることが可能になる。さらにまた、架台１０の周縁部の外面下部に水切り１５を装着しているので、架台１０や免震装置２０の中に雨水が浸入し、架台１０等が腐ってしまう危険性を著しく抑制することができる。
【００２６】
なお、上記実施形態では地盤に湿気防止用の防湿シート２を敷設したが、湿気防止用の防湿フィルム等を敷設しても良い。また、上記実施形態では架台１０に防腐・防蟻処理が施したが、架台１０を特定耐久性樹脂により構成する場合には、防腐・防蟻処理を省略しても良い。また、架台１０の水切り１５に換気機能や防鼠機能を付与しても良い。
【００２７】
また、架台１０の下面の角部や隅部以外の所定部分に免震装置２０用の取付板１４を交換可能に装着しても良い。さらに、基礎１の角部と隅部のうち少なくとも隅部の上面に、免震装置２０用の取付板１４を装着することもできる。さらにまた、受皿２１や接続体２３を平面略楕円形、矩形、多角形等に形成することもできる。
【図面の簡単な説明】
【００２８】
【図１】本発明に係る木造住宅用架台の実施形態における建築中の木造住宅を模式的に示す斜視説明図である。
【図２】本発明に係る木造住宅用架台の実施形態を模式的に示す一部断面説明図である。
【図３】本発明に係る木造住宅用架台の実施形態を模式的に示す要部斜視説明図である。
【図４】本発明に係る木造住宅用架台の実施形態における架台を模式的に示す平面説明図である。
【符号の説明】
【００２９】
１        基礎
２        防湿シート（防湿材）
３        鉄筋
４        通気口（隙間）
１０      架台
１１      木材
１２      構造用合板
１４      取付板
１５      水切り
２０      免震装置
２１      受皿
２２      球体
２３      接続体
【図１】
2008266958.tif 000003
【図２】
2008266958.tif 000004
【図３】
2008266958.tif 000005
【図４】
2008266958.tif 000006